(57)【特許請求の範囲】
【請求項１】
ケーブルのテンションメンバが挿入されて径方向に加締められて塑性変形することにより前記テンションメンバが固定される固定穴が、スリーブに複数形成されており、複数の前記固定穴は、それぞれ前記スリーブの軸方向に沿う向きに延びるとともに前記スリーブの一端面で互いに所定の間隔で開口しており、
挿入されるそれぞれの前記テンションメンバに対応する複数の前記固定穴は、それぞれ前記テンションメンバの位置より前記ケーブルの中心軸寄りに位置し、複数の前記固定穴の入口にはテーパ面が設けられていることを特徴とするケーブル牽引用治具とケーブルとの接続構造。
【請求項２】
請求項１に記載のケーブル牽引用治具とケーブルとの接続構造であって、
複数の前記固定穴は、間隔の異なる複数の対の組み合わせで、それぞれ前記一端面で点対称に配置されていることを特徴とするケーブル牽引用治具とケーブルとの接続構造。
【請求項３】
請求項１または２に記載のケーブル牽引用治具とケーブルとの接続構造であって、
前記固定穴は、前記一端面の中心の位置にも形成されていることを特徴とするケーブル牽引用治具とケーブルとの接続構造。
【請求項４】
請求項１から３の何れか一項に記載のケーブル牽引用治具とケーブルとの接続構造であって、
前記スリーブの外周面には、前記スリーブの周方向の向きが識別可能な識別部が設けられていることを特徴とするケーブル牽引用治具とケーブルとの接続構造。
【請求項５】
請求項１から４の何れか一項に記載のケーブル牽引用治具とケーブルとの接続構造であって、
前記スリーブの他端側に、環状部を有するアイナットが装着されていることを特徴とするケーブル牽引用治具とケーブルとの接続構造。
【請求項６】
請求項１から５の何れか一項に記載のケーブル牽引用治具とケーブルとの接続構造であって、
前記スリーブの少なくとも一端面の周囲を覆い前記スリーブの軸方向に沿って延びたキャップが、前記スリーブに装着されていることを特徴とするケーブル牽引用治具とケーブルとの接続構造。
【発明の詳細な説明】
【技術分野】
【０００１】
本発明は、光ケーブルなどのケーブルを敷設する際に用いられるケーブル牽引用治具に関する。
【背景技術】
【０００２】
光ファイバを利用したＦＴＴＨ等の光通信網を構築するために、光ケーブルを架空や地下に敷設することが行われている。敷設される光ケーブルの構造は、大きく分けてスロット型とスロットレス型がある。スロット型は、中心にテンションメンバ(主に鋼線)を有するスペーサの溝内に光ファイバの単心線あるいはテープ心線を複数集合させ、その外周に押さえ巻きテープを巻き、更にその外周に外被が形成されている。スロットレス型は、内部を中空にして、中空部分に光ファイバの単心線あるいはテープ心線を複数集合させており、また外被にテンションメンバ(主に鋼線)を埋め込んだ構造である。スロットレス型のケーブルはスロットを使用せずスロット型ケーブルよりも構成部材が少ないため、低コストで製造可能である。
【０００３】
光ケーブルを電柱間などの架空に敷設する場合には、光ケーブルの先端を簡易的な治具で保持して引っ張っていく。光ケーブルを地下管路に敷設する場合には、架空への敷設と比較して大きな張力が必要となることから、光ケーブルの先端に牽引用治具を取り付けて、引っ張っていく。牽引用治具はその工法の違いにより幾つかの種類があり、その一つとしてプーリングアイ方式が知られている。
【０００４】
スロット型ケーブルに用いられるプーリングアイ方式の牽引用治具は、スロットの中心にあるテンションメンバを固定するために、スリーブの穴にテンションメンバを挿入してスリーブを加締め固定することで、スリーブとテンションメンバを一体化することができる。
【０００５】
スロットレス型ケーブルに用いられるケーブル牽引端末構造としては、保持具に光ファイバの導出部分を挿通可能な光ファイバ挿通穴と、テンションメンバの導出部分を挿入可能なテンションメンバ挿入穴とが形成され、保持具外周面におけるテンションメンバ挿入穴の外側にテンションメンバの導出部分を加締める薄肉部が形成され、保持具の先端側に保護チューブが螺合して設けられ、保護チューブの先端側に被牽引具が螺合して設けられたものが知られている（例えば、特許文献１参照）。
【先行技術文献】
【特許文献】
【０００６】
【特許文献１】特開２０１０−２１７３１６号公報
【発明の概要】
【発明が解決しようとする課題】
【０００７】
スロット型ケーブルに用いられるプーリングアイ方式の牽引用治具は、テンションメンバを挿入する穴がスリーブの中央に配置されているため、ケーブルの中央にテンションメンバが配置されているケーブルには適用できたが、ケーブルの中央にテンションメンバが配置されていないスロットレス型ケーブルには適用できなかった。
【０００８】
スロットレス型ケーブルに用いられる特許文献１に記載のケーブル牽引端末構造では、スロット型ケーブル用の牽引用治具と比較して部品点数が多く高価なものとなり、作業工数も多くなってしまう。
【０００９】
また、光ケーブルを地下管路に敷設する需要は年々高まっており、地下管路に敷設しやすいスロットレス型ケーブルを敷設するための牽引用治具として、簡素な構成で安価なものが望まれている。
【００１０】
本発明の目的は、中央にテンションメンバが配置されていないケーブルに適用でき、簡素な構成で安価なケーブル牽引用治具を提供することにある。
【課題を解決するための手段】
【００１１】
上記課題を解決することのできる本発明のケーブル牽引用治具とケーブルとの接続構造は、ケーブルのテンションメンバが挿入されて径方向に加締められて塑性変形することにより前記テンションメンバが固定される固定穴が、スリーブに複数形成されており、複数の前記固定穴は、それぞれ前記スリーブの軸方向に沿う向きに延びるとともに前記スリーブの一端面で互いに所定の間隔で開口しており、
挿入されるそれぞれの前記テンションメンバに対応する複数の前記固定穴は、それぞれ前記テンションメンバの位置より前記ケーブルの中心軸寄りに位置し、複数の前記固定穴の入口にはテーパ面が設けられていることを特徴とする。
【００１２】
本発明のケーブル牽引用治具とケーブルとの接続構造において、複数の前記固定穴は、間隔の異なる複数の対の組み合わせで、それぞれ前記一端面で点対称に配置されていることが好ましい。
【００１３】
本発明のケーブル牽引用治具とケーブルとの接続構造において、前記固定穴は、前記一端面の中心の位置にも形成されていることが好ましい。
【００１４】
本発明のケーブル牽引用治具とケーブルとの接続構造において、前記スリーブの外周面には、前記スリーブの周方向の向きが識別可能な識別部が設けられていることが好ましい。
【００１５】
本発明のケーブル牽引用治具とケーブルとの接続構造において、前記スリーブの他端側に、環状部を有するアイナットが装着されていることが好ましい。
【００１６】
本発明のケーブル牽引用治具とケーブルとの接続構造において、前記スリーブの少なくとも一端面の周囲を覆い前記スリーブの軸方向に沿って延びたキャップが、前記スリーブに装着されていることが好ましい。
【発明の効果】
【００１７】
本発明のケーブル牽引用治具とケーブルとの接続構造によれば、テンションメンバを挿入して固定するための複数の固定穴が、スリーブの一端面で互いに所定の間隔で開口しており、挿入されるそれぞれの前記テンションメンバに対応する複数の前記固定穴は、それぞれ前記テンションメンバの位置より前記ケーブルの中心軸寄りに位置し、複数の前記固定穴の入口にはテーパ面が設けられて形成されているので、中央にテンションメンバが配置されていないスロットレス型のケーブルであっても、テンションメンバを挿入してスリーブを加締めることで、スリーブに対してテンションメンバを固定することができる。すなわち、簡易で部品点数の少ない構成でスロットレス型のケーブルを牽引することができる。
【図面の簡単な説明】
【００１８】
【図１】ケーブル牽引用治具（スリーブ）の一実施形態を示す図であって、（ａ）は側面図、（ｂ）は（ａ）の矢印Ａ方向から見た端面の図である。
【図２】図１のスリーブを用いたプーリングアイの部分断面図である。
【図３】牽引されるスロットレス型光ケーブルの断面構造の一例を示す断面図である。
【図４】図１のスリーブの固定穴にスロットレス型光ケーブルのテンションメンバを挿入する際の模式図である。
【図５】図４の状態からスリーブの固定穴にテンションメンバを加締める際の模式図である。
【図６】スリーブに形成される固定穴の配置例を示す模式図である。
【図７】スリーブを加締める際の好適な形状を示す模式図である。
【発明を実施するための形態】
【００１９】
以下、本発明に係るケーブル牽引用治具の実施の形態の例を、図面を参照して説明する。
図１に示すように、ケーブル牽引用治具の一形態であるスリーブ２は、略断面円形の棒状の部材であり、ステンレス等の金属により形成されている。スリーブ２の一端側（図１（ａ）の右側）には、その本体部３の一端面６に開口した一対の固定穴７が設けられている。一対の固定穴７は、スリーブ２の軸方向に沿った向きに延び、互いに所定の間隔（例えば５ｍｍから１０ｍｍ程度）をあけて並列して形成されている。一対の固定穴７は、一端面６の中心点Ｏに対して点対称の位置に配置されている。
【００２０】
固定穴７は、牽引するケーブルのテンションメンバを挿入可能なものであり、挿入するテンションメンバより僅かに大きい径であることが好ましい。また、固定穴７の一端面６に開口した部分には、外側に向けて穴径が拡大されたテーパ面８が形成されている。テンションメンバを固定穴７に挿入する際、このテーパ面８がテンションメンバの先端に接触して固定穴７内へと導くガイドとして機能する。この固定穴７にテンションメンバを挿入した状態で本体部３を外側から径方向に加締めて塑性変形させることにより、スリーブ２に対してテンションメンバを固定することができる。
【００２１】
スリーブ２の軸方向の中心近傍には、本体部３より径が僅かに大きく形成されたフランジ部４が形成されており、このフランジ部４から他端側（図１（ａ）の左側）には、ナットなどを取り付け可能なねじ部５が設けられている。
【００２２】
図２は、図１のスリーブ２をその一部の構成として備えたプーリングアイ方式のケーブル牽引用治具１である。
ケーブル牽引用治具１は、スリーブ２と、スリーブ２の他端側のねじ部５に装着されたアイナット９と、スリーブ２におけるフランジ部４より他端側の位置で固定されたキャップ１１と、を備えている。アイナット９は環状部を有する構造であり、この環状部に牽引ロープなどを連結してスリーブ２を強い力で牽引することができる。キャップ１１は、スリーブ２に装着された状態で一端面６の周囲を覆い、スリーブ２の軸方向に沿って延びた略円筒状の部材である。キャップ１１は、例えばアルミニウム等の金属材により形成されている。キャップ１１の内径は、牽引するケーブルの外径より僅かに大きい程度であることが好ましい。
【００２３】
スリーブ２におけるフランジ部４より他端側の位置には、ゴムなどの弾性部材からなる円筒状のガスケット１３が装着されている。このガスケット１３とフランジ部４を覆うようにしてキャップ１１が取り付けられ、そのキャップ１１の固定端を覆うようにキャップカバー１２が取り付けられている。キャップ１１及びキャップカバー１２は、六角ナット１０をねじ部５にねじ込むことによりスリーブ２に対して固定される。
【００２４】
スリーブ２のフランジ部４と六角ナット１０との間では、キャップ１１、キャップカバー１２、及びガスケット１３がスリーブ２の軸方向に押圧される。ガスケット１３は、軸方向に圧縮されることで径方向に膨張し、これによりスリーブ２とキャップ１１との間が水密に封止される。
【００２５】
次に、ケーブル牽引用治具１により牽引されるケーブルの一例として、図３のスロットレス型の光ケーブル３０について説明する。
光ケーブル３０は、その横断面で見た中央に、光ファイバテープ心線３１を複数（本例では２本）有する。光ファイバテープ心線３１は、複数（本例では８本）の光ファイバ心線を平面上に並列させて被覆樹脂でテープ状に一体化されたものである。光ファイバテープ心線３１の周囲にはナイロン繊維等の介在物３２が配置され、その周囲が外被３５により覆われている。
【００２６】
外被３５の内周近傍における周方向の二箇所には、外被３５を引き裂いて光ファイバテープ心線３１を取り出すための引き裂き紐３４が埋設されている。本例の引き裂き紐３４は、光ファイバテープ心線３１における光ファイバの並列方向（光ファイバテープ心線３１の幅方向）と直交する位置に配置されている。
【００２７】
また、外被３５の内部における光ファイバの並列方向の延長線上には、光ケーブル３０にかかる張力を引き受けるための２本のテンションメンバ３３が埋設されている。一対のテンションメンバ３３は、光ケーブル３０における横断面で見た中心から所定の距離だけ離間した位置に設けられている。テンションメンバ３３は、鋼線やＦＲＰ線などからなり、抗張力機能を有する。光ケーブル３０が敷設される際には、テンションメンバ３３が主に張力を受けて牽引される。
【００２８】
次に、光ケーブル３０を敷設するにあたって光ケーブル３０をケーブル牽引用治具１に固定する手順について説明する。
まず、光ケーブル３０の端末部分において、所定の長さだけ外被３５を除去し、一対のテンションメンバ３３を外被３５の端部から突出させておく。図４に示すように、スリーブ２の一対の固定穴７は、光ケーブル３０の一対のテンションメンバ３３の間隔より僅かに狭い間隔であることが好ましい。そして、矢印Ｂに示すように一対のテンションメンバ３３の軸３３ａをそれぞれスリーブ２の中心軸寄りに僅かに（例えば１ｍｍ〜２ｍｍ）寄せて固定穴７に挿入する。これにより、スリーブ２に対する光ケーブル３０の固定状態が安定しやすい。
【００２９】
固定穴７とテンションメンバ３３の位置のずれが大きいと、固定穴７の入口でテンションメンバ３３が折れ曲がるようになって損傷してしまうおそれがあるが、固定穴７の入口にテーパ面８が設けられていることにより、この位置のずれを２ｍｍ程度までは十分に許容できる。
【００３０】
また、例えば、光ケーブル３０の外径が７ｍｍから１３ｍｍであり、スリーブ２の本体部３の直径はそれより僅かに小さい。テンションメンバ３３の直径が１ｍｍ程度である場合、固定穴７の直径は１．２ｍｍ程度がよい。テンションメンバ３３の直径が変更されれば、固定穴７の直径もそれに合わせて変更するとよい。
【００３１】
一対のテンションメンバ３３をそれぞれ固定穴７に挿入したら、スリーブ２の本体部３を径方向に加締める。加締める際には、半円筒状の内周面を有する一対の加締め治具を用いる。スリーブ２を圧縮する方向が異なると、テンションメンバ３３の固定力も異なる。テンションメンバ３３の固定力を大きくするためには、固定穴７の並列方向に沿う方向（図４における上下方向）の両側からスリーブ２を圧縮するように加締めることが好ましい。図５に、スリーブ２を加締めてテンションメンバ３３を固定する際の加締め方向（矢印Ｃ）を示す。この状態で、スリーブ２が径方向に圧縮されて塑性変形し、それとともに固定穴７も塑性変形し、固定穴７の内側にテンションメンバ３３が固定される。
【００３２】
テンションメンバ３３をスリーブ２に固定した後、図２に示したように、スリーブ２の他端側からガスケット１３とキャップ１１とキャップカバー１２を取り付け、六角ナット１０をねじ止めして固定する。六角ナット１０のねじ込みにより、ガスケット１３を軸方向に圧縮させて、スリーブ２とキャップ１１との間を水密に封止する。
【００３３】
次いで、アイナット９をねじ部５にねじ込んで装着する。アイナット９は、ねじ部５にねじ込む部分に、径方向外側から小さいボルトを挿入して固定できる構造としてもよい。その場合、その小さいボルトによりアイナット９をねじ部５に強固に固定できる。
【００３４】
以上の手順により、光ケーブル３０がケーブル牽引用治具１に固定される。スリーブ２とキャップ１１との間が水密構造となっているので、スリーブ２における他端側から水が浸入して光ケーブル３０内に水を浸入させることが防がれる。また、光ケーブル３０における、キャップ１１内に収容される部分の外被３５の外周に防水テープを巻きつけておき、キャップ１１と外被３５との間を水密構造とすることがより好ましい。
【００３５】
なお、スリーブ２のみをケーブル牽引用治具として用いて、一対のテンションメンバを有するドロップケーブル等を架空に敷設するのに用いることもできる。
【００３６】
以上説明したように、スリーブ２またはケーブル牽引用治具１によれば、テンションメンバ３３を挿入して固定するための複数の固定穴７が、スリーブ２の一端面６で互いに所定の間隔で開口して形成されているので、中央にテンションメンバ３３が配置されていないスロットレス型の光ケーブル３０であっても、テンションメンバ３３を挿入してスリーブ２を加締めることで、スリーブ２に対してテンションメンバ３３を固定することができる。すなわち、簡易で部品点数の少ない構成でスロットレス型の光ケーブル３０を牽引することができる。
【００３７】
次に、スリーブ２の他の構造例（変形例）について説明する。
スロットレス型のケーブルは、一対のテンションメンバの間隔がケーブルの種類によって異なるため、ケーブルの種類ごとに異なるスリーブを用意しておくことが考えられる。しかし、それではスリーブを複数種揃えるコストがかかってしまうため、複数種のケーブルに適用できるスリーブとすることが好ましい。
【００３８】
図６に示すように、スリーブ２の一端面６に開口して形成する固定穴７ａ〜７ｅは、様々な数及び配置で設けることができる。図中の固定穴７ａ〜７ｅにおけるＡ〜Ｅの文字は、それぞれの固定穴の組み合わせが判別しやすいように模式的に表示したものである。図６（ａ）の例は、図１（ｂ）に示した例と同様の構成であり、一端面６の中心Ｏに対して等しい間隔で一対の固定穴７ａが形成されている。この例の固定穴７ａを備えた構成としつつ、他の間隔のテンションメンバを備えたケーブルにも適用できる構成が、図６（ｂ），（ｃ），（ｄ）に示す例である。
【００３９】
図６（ｂ）の例は、一対の固定穴７ａより広い間隔の一対の固定穴７ｂをさらに備えた構成であり、テンションメンバの２種類の間隔に対応できるものである。
図６（ｃ）の例は、図６（ｂ）の例に加え、一対の固定穴７ｂより広い間隔の一対の固定穴７ｃと、一対の固定穴７ｃより広い間隔の一対の固定穴７ｄと、一対の固定穴７ｄより広い間隔の一対の固定穴７ｅと、をさらに備えた構成であり、テンションメンバの５種類の間隔に対応できるものである。
図６（ｄ）の例は、図６（ｃ）の例に加え、さらに一端面６の中心にも固定穴７ｘを備えた構成であり、スロット型ケーブルの中心のテンションメンバにも対応できるものである。
このように、複数の固定穴７ａ〜７ｅは、間隔の異なる複数の対の組み合わせで、それぞれ一端面６で点対称に配置されている。なお、固定穴７ａ〜７ｅ，７ｘの穴径は、想定されるケーブルのテンションメンバの径に適宜設定しておけばよい。
【００４０】
また、スリーブ２は、上述したように加締める方向によりテンションメンバ３３を固定する力が変化する。そのため、スリーブ２を径方向に加締める際の周方向の位置がわかるように、本体部３の外周面には、スリーブ２の周方向の向きが識別可能な識別部が設けられていることが好ましい。識別部を設けた例を、図７（ａ），（ｂ）に示す。図７（ａ）の例は、一対の固定穴７の並列方向の延長上に、一対の識別突起３ａを形成したものである。図７（ｂ）の例は、一対の固定穴７の並列方向の延長上に、一対の識別凹部３ｂを形成したものである。これらの識別部（識別突起３ａ，識別凹部３ｂ）により、矢印Ｃの向きにスリーブ２を圧縮するように加締めればよいことを作業者が認識しやすくなる。なお、識別部は突起や凹部ではなくマークで表示しても良い。
【００４１】
また、一対のテンションメンバを有するスロットレス型の光ケーブルは、その一対のテンションメンバの剛性により曲がりやすい方向が決まっている。そのため、敷設時に光ケーブルがボビンから引き出されて地面上に端部が置かれたときに、一対のテンションメンバの並列方向が水平方向となる向きとなりやすい。そのような光ケーブルの端部にスリーブを装着する際、図７に示すような識別部を有するスリーブを用いれば、識別部が一対のテンションメンバに対して一対の固定穴の位置を合わせる目印としても機能する。
【符号の説明】
【００４２】
１：ケーブル牽引用治具、２：スリーブ、５：ねじ部、６：一端面、７：固定穴、９：アイナット、１０：六角ナット、１１：キャップ、３０：光ケーブル、３３：テンションメンバ
【図１】
0005895596.tif 000002
【図２】
0005895596.tif 000003
【図３】
0005895596.tif 000004
【図４】
0005895596.tif 000005
【図５】
0005895596.tif 000006
【図６】
0005895596.tif 000007
【図７】
0005895596.tif 000008